(57)【要約】【課題】インクジェット記録装置において、つなぎスジの少ない画像を記録することを可能とする。【解決手段】つなぎスジ近傍の記録画像についてドットカウントを行い、印字デューティーを判定する。次に印字デューティーからドットカウント値を定める。そして、あらかじめ記録装置の特性にあわせて定められた記録データ補正ランクを決定し、つなぎスジ近傍の記録画像データの追加・間引きを行う。このように、つなぎスジ近傍の記録データの追加・間引きを行うことにより、黒いスジや白いスジの少ない画像を記録することができる。【選択図】図７
2008000922.tif 000002
【特許請求の範囲】
【請求項１】
インクを吐出する複数のノズルを有した記録ヘッドを記録媒体に対して走査するとともに、該記録ヘッドから記録媒体にインクを吐出してドットを形成することにより記録を行うインクジェット記録装置の記録データを生成するための画像処理方法において、
互いに隣接する画像記録領域を形成する２つの走査それぞれの記録データにおける、前記隣接する画像領域における境界の所定の近傍に対応するノズルの記録データからドットのデューティーを求める工程と、
該求めたドットのデューティーに応じて、前記２つの走査のいずれか、または該２つの走査とは別の走査における記録データで、前記境界の所定の近傍に対応するノズル以外のノズルの記録データを補正し、ドットの付加または間引を行う工程と、
を有したことを特徴とする画像処理方法。
【請求項２】
前記記録ヘッドは、インクを吐出するための複数のインク吐出口列が、配列方向に差を設けられて配置されていることを特徴とする請求項１に記載の画像処理方法。
【請求項３】
インクを吐出する複数のノズルを有した記録ヘッドを記録媒体に対して走査するとともに、該記録ヘッドから記録媒体にインクを吐出してドットを形成することにより記録を行うインクジェット記録装置の記録データを生成するインクジェット記録装置において、
互いに隣接する画像記録領域を形成する２つの走査それぞれの記録データにおける、前記隣接する画像領域における境界の所定の近傍に対応するノズルの記録データからドットのデューティーを求める手段と、
該求めたドットのデューティーに応じて、前記２つの走査のいずれか、または該２つの走査とは別の走査における記録データで、前記境界の所定の近傍に対応するノズル以外のノズルの記録データを補正し、ドットの付加または間引を行う手段と、
を有したことを特徴とするインクジェット記録装置。
【請求項４】
前記記録ヘッドは、インクを吐出するための複数のインク吐出口列が、配列方向に差を設けられて配置されていることを特徴とする請求項３に記載のインクジェット記録装置。
【発明の詳細な説明】
【技術分野】
【０００１】
本発明は、画像処理方法およびインクジェット記録装置に関する。詳しくはインクジェット記録装置による画像記録において、記録ヘッドの走査によって生じるつなぎスジを解消させるための画像処理を行う画像処理方法およびインクジェット記録装置に関するものである。
【背景技術】
【０００２】
近年、記録装置による記録媒体への記録において、高速での記録のニーズが高まっている。インク滴を吐出して記録を行うインクジェット記録装置では、画像を構成するドットの１ラインを記録するのに、記録ヘッドをそのラインに対して複数回の走査を行って記録するマルチパス記録方法がある。
【０００３】
このマルチパス記録方法では高画質の記録を実現することができるという利点を有している。しかし、高速の記録を実現するためには、１ラインの記録を完成するために必要なキャリッジの走査回数であるパス数を減らすことが有効である。すなわち、パス数が多い程一回の紙送り量は小さくなるため、１ラインの記録速度が低下し、パス数が少ない程一回の紙送り量は大きくなるため、１ラインの記録速度が増すこととなる。例えば、４パスと２パスとで記録を行う場合を比較すると、４パスで行うところを２パスで行えば、約２倍の高速化が図れることとなる。よって、パス数が少なくなれば、記録用紙１枚等の所定の領域の記録に要するキャリッジのスキャン回数が減り、かつ、１回の紙送り量が大きくなり、結果的に所定の記録に要する時間が短くなる。
【０００４】
ところで、マルチパス記録方法では、帯状の画像領域である１バンドの領域を複数回走査することにより記録を行うため、バンド間のつなぎ部では、つなぎスジが生じやすくなる。
【０００５】
図１は、２パスで記録を行う場合の画像領域を示す。インクジェット記録装置では、インク吐出口の配列方向と直交する方向にキャリッジが走査することにより記録を行うため、１走査ごとに帯状の画像記録領域が形成されることとなる。そして、インク滴や記録媒体の性質により程度の差は異なるが、例えば普通紙等のにじみやすい記録媒体に記録を行う場合には、バンド間のつなぎ部では、インクのにじみにより、黒いつなぎスジが視認することができる。特に、パス数を少なくして記録する場合には、かかるつなぎスジが顕著に視認することができ、記録品質を劣化させることとなる。すなわち、２パスで記録を行う場合、４パスで記録を行う場合に比べて１走査で記録媒体に記録するドットが約２倍となる結果、領域あたりのドットの割合であるデューティーも約２倍となり、パス数が少ない程黒いつなぎスジが顕著に視認されることとなる。
【０００６】
従来、このような黒いつなぎスジをなくし、高画質化を図る方法として、特許文献１には、記録ヘッドの主走査を繰り返して１バンドずつ記録を行い、つなぎ部近傍の領域の記録量に応じて記録データの間引き処理を行う方法が記載されている。具体的には、つなぎ部近傍の領域に記録されるドット数をカウントし、カウントした値に応じて間引き処理を行う構成が特許文献１に開示されている。
【０００７】
また、特許文献２には、ある領域を記録するのにキャリッジを１回のみ走査させて記録する１パス印刷方法におけるつなぎスジの低減が記載されている。すなわち、それぞれの走査により記録される画像を一部重複させて、その重複する領域をランダムマスクパターンによりそれぞれの走査間で補間して記録する方法が記載されている。
【０００８】
【特許文献１】特開２００２−３６５２４号公報
【特許文献２】特開平０８−２５６９３号公報
【発明の開示】
【発明が解決しようとする課題】
【０００９】
しかしながら、上記特許文献１に記載の従来例では、つなぎスジが黒い場合には適用できるが、白いつなぎスジができる場合には、適用することができない。すなわち、つなぎスジは、インクのにじみ等により生じるものの他、記録装置固有の、紙送りの精度やインク吐出口の端よれ等が要因となり、つなぎ部に白いつなぎスジが生じることもあるが、上記従来例では、かかる問題に対応することができない。ここで、端よれとは、複数配列されたノズルのうち、両端に配置されたノズルのインク滴着弾位置が記録ヘッドの中央部に向かってずれる現象をいう。この端よれの現象では、１回の走査あたりのデューティーが高い程、また、インク滴が小さい程、インク滴の着弾位置のずれは大きいことが観察されている。特にインク滴が２．８ｐｌ以下の場合には、端よれが大きくなる。このため、２パスで記録を行う場合、４パスで記録を行う場合よりもインクのデューティーが大きいため、端よれが大きくなる。これにより、バンド間のつなぎ部では、白いつなぎスジが生じやすくなる。特に、写真用紙のようなインク滴がにじみにくい記録媒体では、白いつなぎスジが顕著に視認することができ、画像品質を劣化させる。
【００１０】
また、上記特許文献１や特許文献２に記載の従来例では、複数配列されたノズルのうち、両端に配置されたノズルを使用して画像データを補正する。この場合には、両端に配置されたノズルは端よれの影響を受けるため、所望の補正をすることが難しく、必ずしもつなぎスジを老巧に軽減させるものとはいえない。特に、写真やグラフィックのような高品質画像を求める記録画像では、このような精度では不充分である。
【００１１】
本発明は、このような観点からなされたものであり、主走査を繰り返して画像を記録する構成において、つなぎスジを低減し、良好な記録画像を得ることを可能とする画像処理方法およびインクジェット記録装置を提供することを目的とする。具体的に、本発明は、１パス印刷方法や、少ない数のパス数でのマルチパス記録方法により記録する場合であっても、つなぎスジを低減して良好な記録画像を得ることを可能とする画像処理方法およびインクジェット記録装置を提供することを目的とする。
【課題を解決するための手段】
【００１２】
上記目標を達成するため本発明は、インクを吐出する複数のノズルを有した記録ヘッドを記録媒体に対して走査するとともに、該記録ヘッドから記録媒体にインクを吐出してドットを形成することにより記録を行うインクジェット記録装置の記録データを生成するための画像処理方法において、互いに隣接する画像記録領域を形成する２つの走査それぞれの記録データにおける、前記隣接する画像領域における境界の所定の近傍に対応するノズルの記録データからドットのデューティーを求める工程と、該求めたドットのデューティーに応じて、前記２つの走査のいずれか、または該２つの走査とは別の走査における記録データで、前記境界の所定の近傍に対応するノズル以外のノズルの記録データを補正し、ドットの付加または間引を行う工程と、を有したことを特徴とする。
【発明の効果】
【００１３】
以上の構成によれば、記録領域のドットをカウントし、つなぎ部の画像濃度を増減する画像処理を行うので、１パス印刷方法や、少ないパス数でのマルチパス印刷方法により記録する場合であっても、つなぎスジの少ない、常に良好な記録画像を得ることができる。
【発明を実施するための最良の形態】
【００１４】
以下に図面を参照して本発明における実施形態を詳細に説明する。
（実施形態１）
図２は本発明に係るインクジェット記録装置の一実施形態であるインクジェット記録装置を示す斜視図である。１Ａ、１Ｂ、１Ｃはインクカートリッジ、５０２はキャリッジを示す。インクカートリッジ１Ａから１Ｃおよびインクを吐出する記録ヘッド（不図示）は、キャリッジ５０２に着脱可能に搭載される。記録ヘッドは電気熱変換体を有し、電気熱変換体により熱エネルギを発生させて、インクをインク吐出口から吐出させる。すなわち、電気熱変換体によって加印される熱エネルギにより生じる膜沸騰による気泡の成長、収縮により生じる圧力変化を利用して、インク吐出口からインクを吐出し、記録を行う。
【００１５】
インクカートリッジ１Ａから１Ｃには、それぞれ異なる色のインクタンク部を有しており、例えば、シアン、マゼンタ、イエロー等の色のインクが収納されている。キャリッジ５０２は、記録ヘッドに駆動信号を伝達するためのコネクタホルダ（不図示）を具えている。また、キャリッジ５０２は、モータプーリ５０５、従動プーリ５０６、タイミングベルト５０７を介して駆動され、主走査モータ５０４により、主走査方向に具えられたガイドシャフト５０３に沿って往復移動する。記録用紙、プラスチック薄板等の記録媒体５０８は、記録ヘッドに設けられたインク吐出口に対して平坦な記録面を形成するよう、プラテン（不図示）により支持され、２組の搬送ローラの回転により、記録ヘッドの吐出口面と対向する位置に搬送される。
【００１６】
図３は、図２で説明したインクジェット記録装置で用いられる記録ヘッドを示す模式図である。記録ヘッドは、記録媒体５０８と約０．５から２ｍｍ程度の所定の間隔をおいて対面するインク吐出口６２１を具え、インク吐出口には、２４００ｄｐｉ相当のピッチで５１２個のノズル６２２を有する。そして、記録ヘッドの内部には、共通液室６２３とノズル６２２の各吐出口とを連通する各流路６２４の壁面に沿って、インク吐出のためにエネルギを発生する発熱抵抗体等の電気熱変換体６２５が配置されている。
【００１７】
図４は、図２および図３で説明した記録ヘッドを記録媒体に対向する側から示した図である。記録媒体と対向する面には、副走査方向に、インクを吐出するためのノズルが５１２個配列されており、主走査方向に、ノズル列が、イエロー（Ｙ）、マゼンタ（Ｍ）、シアン（Ｃ）の順番で配列されている。本実施形態では、副走査方向に配列されたノズルを、ノズル番号１からノズル番号５１２とする。
【００１８】
図５は、図２で示したインクジェット記録装置で用いられる制御回路を示すブロック図である。主制御部であるコントローラ７００は、マイクロコンピュータ形態のＣＰＵ７０１、プログラムや所定のテーブル等の固定データを格納したＲＯＭ７０２、画像データを展開する領域や作業領域を設けたＲＡＭ７０３を具えている。また、このコントローラ７００は、後述する記録データの追加・間引き処理等の画像処理を行う。ホスト装置７０４は、画像データの作成や処理等を行うコンピュータの他、画像読み取り用リーダ等の画像データの供給源である。画像データ等のコマンドやステータス信号等は、インターフェイス７０９を介してコントローラ７００と送受信される。
【００１９】
７０５は操作者による指示入力を受容するスイッチ群から成る操作部であり、電源スイッチ７０６、プリント開始を指示するためのスイッチ７０７、吸引回復の起動を指示するためのスイッチ７０８等を有する。
【００２０】
７１０はヘッドドライバを示し、記録データ等に応じて記録ヘッド１の吐出ヒータ７１１を駆動するドライバである。ヘッドドライバ７１０は、記録データを吐出ヒータ７１１の位置に対応させて整列させるシフトレジスタ、適宜のタイミングでラッチするラッチ回路を有する。さらに、ヘッドドライバ７１０は、駆動タイミング信号に同期して吐出ヒータを作動させる論理回路素子の他、ドット形成位置合わせのために駆動タイミング（吐出タイミング）を適切に設定するタイミング設定部等を有する。
記録ヘッド１には、サブヒータ７１２が設けられている。サブヒータ７１２はインクの吐出特性を安定させるための温度調整を行うものであり、吐出ヒータ７１１と記録ヘッド基板上に形成された形態であっても、記録ヘッド本体や記録ヘッドカートリッジに取り付けられる形態であってもよい。
【００２１】
７１３、７１５はモータドライバを示し、主走査モータ７１４、副走査モータ７１６をそれぞれ駆動する。
【００２２】
図６は、２パスで記録を行うインクジェット記録装置で記録した場合において、白いつなぎスジが生じている状態を示し、領域６Ａは、２走査により画像が形成された領域を示す。この領域の印字デューティーを１００％とするとき、ランダムマスクを用いて各主走査に記録データを分配すると、各主走査の印字デューティーは約５０％となる。
６Ｂは、紙送り量を示し、記録ヘッド６Ｃの長さと同じであり、一定量である。本実施形態で用いる記録ヘッドは、２４００ｄｐｉ相当のピッチで５１２個のノズルを具えており、吐出量が約１．５ｐｌである。ここで、実際に記録される記録幅１３Ｄは両端の吐出口の端よれによって紙送り量よりも２０μｍ短くなり、つなぎスジ１３Ｅは２０μｍ幅の白スジとなる。これは、２４００ｄｐｉ相当のピッチでは約２画素分に相当する。
【００２３】
図７は、２パスで記録を行う場合の、記録データの補正処理を行う領域を示す図である。図７に示すように、第ｎ走査と第ｎ＋２走査とで形成するつなぎ部近傍をある単位領域に区分し、それぞれの領域毎に各インク色のドット数をカウントし、単位領域におけるインクのデューティーを判定する。そして、ドット数のカウントにより得られるそれぞれの単位領域毎のドットカウント値と、あらかじめ与えておくインクのデューティーと記録データ追加・間引き処理の関係とから、それぞれの色について記録データ補正処理領域のデータ追加・間引き量を決定する。この決定したデータ追加・間引き量に従って、記録データ追加・間引き処理が実行される。
【００２４】
記録データ補正処理領域は、つなぎ部上を走査する第ｎ＋１走査目の、例えば副走査方向に４画素、主走査方向に全画素とするつなぎ部近傍付近である。すなわち、本実施形態での補正領域は、記録ヘッドのノズル配列における略中央に位置する４ノズル分とし、４画素のデータとする。このように、本発明の一実施形態によれば、つなぎ部を形成する２つの走査と別の走査において、その走査を行う記録ヘッドのノズル配列における端部以外のノズルに対する記録データを補正する。すなわち、つなぎ部の所定の近傍のドットデューティーに応じて、ドットデータを付加または間引く、記録データの補正を行う。これにより、端部ノズルに生じ得るよれの影響を受けない、適切な補正を行うことができる。この領域は、最大つなぎスジ幅以上の大きさとすることが望ましい。
【００２５】
図８は、本実施形態の画像処理のフローチャートであり、１バンド分の画像処理において、１走査目の記録データ受信から記録データ処理終了までを示す。このフローチャートは、２パスのマスクによって走査毎の２値の記録データになっている状態をスタートとする。
【００２６】
まず、つなぎ部を形成する第１走査目と第３走査目の記録データを受信する（ステップＳ１）。
【００２７】
次に、各走査の図９に示すドットカウント領域における記録データのドットカウントを行う（ステップＳ２）。このドットカウントとは、２値の記録データ数を数えることであり、印字デューティーと同じ意味を持つ。
【００２８】
図９に示すように、１回の処理でドットカウントを行う領域はバンドのつなぎ部分を形成する第１走査目と第３走査目のつなぎ部を挟んで副走査方向に４画素ずつ、主走査方向に２４画素とする。
【００２９】
ドットカウントを行うことにより印字デューティーから、後述する方法で、記録データ補正ランクを決定する（ステップＳ３）。そして、第２走査の記録データを受信し（ステップＳ４）補正ランクに基づき第２走査の記録データの追加・間引き等の画像処理を行う（ステップＳ５）。この画像処理は、記録データがある毎に、あらかじめ用意されているカウンタ値を参照し、カウンタ値が１ならば記録データの追加・間引きを行い、カウンタ値が０ならば何も行わない。この処理を１バンド毎に行い（ステップＳ６）、１バンド終了すると、次のバンドについての処理を開始する。記録データの補正が全て終了した後、記録を行う。
【００３０】
図１０は、第２走査目の記録データを補正する領域を示す図である。記録データを補正する領域は、第１走査と第３走査のつなぎ部を挟んで数画素である。本実施形態での補正領域は、図４で示した、ノズル番号２５４から２５７の４ノズル分とし、４画素の記録データとする。なお、第２走査の画像濃度をドットカウント値に基づき増減させれば良いため、補正領域は第２走査の記録ヘッドの中央部でなくても良いが、複数配列されたノズルのうち両端に配置されたノズル以外のノズルで記録することが好ましい。
【００３１】
図１１は、つなぎスジ部の濃度を示す。つなぎスジ濃度とは、つなぎスジ部におけるキャリッジ走査方向の濃度と２走査により画像が形成された領域の濃度との差分であり、これによってつなぎスジの程度を評価することができる。つなぎスジ濃度がゼロのとき、つなぎスジは見えないことになり、つなぎスジ濃度が正の数ならば白スジ、負の数ならば黒スジとなる。例えば、図１１では白スジを表していることになる。
【００３２】
図１２は、つなぎスジ濃度と印字デューティーの関係を示した例である。この関係は装置固有の関係であり、キャリッジ走査速度、記録媒体、ヘッドの個体差、記録媒体とヘッドの距離などにより異なる。そのため、適切につなぎスジ濃度と印字デューティーの関係を把握することで記録データ追加・間引きランクを高精度に設定することができる。このつなぎスジ濃度と印字デューティーの関係をもとに印字デューティーと記録データ追加・間引きランクを設定する。
【００３３】
図１３は、印字デューティーとドットカウント値との関係を示す図である。ドットカウント値のレベルは、印字デューティーに応じて８段階とする。すなわち、０％以上、１２．５％未満の印字デューティーではドットカウント値１が、１２．５％以上、２５％未満の印字デューティーではドットカウント値２が、以降１２．５％増加するにしたがいカウント値が１増加する。例えば、印字デューティーが５０％の場合、それに相当するドットカウント値は５である。なお、本実施形態では８段階としたが、これに限らなくてもよい。
【００３４】
図１４は、ドットカウント値と記録データ補正ランクの関係を示したグラフである。図１２に示す記録装置固有の特性の基づき、あらかじめ各記録データ補正ランクを決定しておく。記録データ補正ランクは、つなぎスジ濃度が０または０に近い値になるように、ドットカウント値に対応する。
【００３５】
図１５は、補正ランクが５である場合の、記録データの追加・間引きをする記録データの補正領域を示す。ドットカウント値が５の場合には、記録データ補正ランクは５である。マスは画素を示し、黒マスは記録データを追加し、白マスは記録データを間引くことを意味する。補正ランクが増加すると、黒マスが増加し、補正ランクが減少すると、白マスが増加する。
【００３６】
以上のような処理を、主走査方向に対して全画素行うことで、少ないパス数でつなぎスジの目立たない高品位な画像が得られる。
なお、本実施形態では、記録データを追加・間引く手段を用いたが、例えばインクの吐出量を増大、減少させる手段等により記録濃度の増減を行ってもよい。
【００３７】
（実施形態２）
実施形態１では、シリアルスキャン方式の２パス印字の例について示したが、１パス印字に対して、本発明を適用することもできる。
【００３８】
図１６は、本実施形態で用いられる記録ヘッドを記録媒体に対向する側から示した図である。記録媒体と対向する面には、主走査方向に、ノズル列が、イエロー（Ｙ）、マゼンタ（Ｍ）、シアン（Ｃ）、イエロー（Ｙ）、マゼンタ（Ｍ）、シアン（Ｃ）の順番で配列されている。左に配列された３つのノズル列を左列１６Ａ、右に配列された３つのノズル列を右列１６Ｂとすると、左列１６Ａと右列図中１６Ｂとは、ノズルの配列方向に差Ｈを設けられて配置される。差Ｈは、３画素以上の吐出口列の長さ以内が好ましいが、左列と右列の吐出口の数は同じであっても異なってもよく、１６Ｃと１６Ｄの数が異なってもよい。以下、本実施形態について、本図で示すノズル番号を用いて詳細に説明する。
【００３９】
図１７は、１パスで画像を記録する場合の記録画像を示す。本図では、マゼンタ（Ｍ）のノズル列のみを示し、他のインク色のノズル列を省略している。１７Ａは記録画像を示し、左列および右列の副走査方向の端に配列されたノズルの端ヨレにより、スジが発生する。
【００４０】
図１８は、本実施形態の画像処理のフローチャートであり、１走査分の記録データ受信から記録データ処理終了までを示す。
まず、第１走査および第２走査の左列の記録データを受信する（ステップＳ１１）。次に、第１走査および第２走査の左列の記録データに対して、ドットカウント領域でドットカウントを行う。
【００４１】
図１９に示すように、１回の処理でドットカウントを行う領域はバンドのつなぎ部分を形成する第１走査目と第２走査目のつなぎ部を挟んで副走査方向に４画素ずつ、主走査方向に２４画素とする。すなわち、副走査方向では、第１走査目に左列に配列されたノズル番号１７、１９、２１、２３のノズルから吐出されるドットの印字データと第２走査目に左列に配列されたノズル番号１、３、５、７のノズルから吐出されるドットの印字データをカウントする。
【００４２】
次に、第１実施形態で述べたように記録データ補正ランクを決定し（ステップＳ３３）、第１走査の右列の記録データ補正領域において記録データの補正を行う。左列と右列は、記録画像に対して両列で補間の関係になるよう、異なる間引きパターンによってそれぞれ記録を行い、画像を記録する。第１走査では、ノズル群１６Ｃは使用せず、第２走査では、ノズル群１６Ｄは使用しない。例えば、図１７に示す画像を記録する場合には、第１走査ではＭ左のノズル列のノズル番号１、３、５、７、９は使用しない。また、第２走査では、Ｍ右のノズル列のノズル番号１０１６、１０１８、１０２０、１０２２、１０２４は使用しない。
【００４３】
第１走査では、Ｍ右のノズル列のノズル番号１０１２、１０１４、１０１６、１０１８のノズルから吐出される４画素分の記録データについて補正を行う。続く、第２走査では、Ｍ左のノズル列のノズル番号５、７、９、１１のノズルから吐出される４画素分の記録データについて補正を行う。
【００４４】
以上のような処理を、主走査方向に対して全画素行うことで、１パスで記録する場合であっても、つなぎスジの目立たない高品位な画像が得られる。
なお、画像記録は、ノズル群１６Ｃ、１６Ｄを用いて行ってもよい。
【００４５】
（実施形態３）
図２０は、ダミーノズルがある場合のインク吐出口列を示す。図２０に示す吐出口列は、２４００ｄｐｉ相当のピッチで１６個のノズルを有する。両端に配置された各３個のノズル２０Ａは、ダミーノズルであり、画像の記録には使用しない。例えば、インクジェット記録装置では、インクを吐出させるために、インクジェット記録ヘッドをヒータで熱した場合、端ノズルの温度が高くなるといった現象が生じる場合がある。そのような場合には、両端にダミーノズルを配置したインクヘッドを使用する場合がある。
このような記録ヘッドに対しても、本発明を適用することができる。すなわち、第１走査においてインクノズル２０Ｄから吐出されるインクによる記録画像と第２走査においてインクノズル２０Ｃから吐出されるインクによる記録画像との間に、スジが生じる場合がある。このような場合にも、本発明は適用することができる。
【００４６】
（その他）
なお、本発明は、特にインクジェット記録方式の中でも、熱エネルギによりインクの状態変化を生起させてインクを吐出する方式の記録ヘッド、記録装置において優れた効果を奏する。かかる方式によれば記録の高密度化、高精細化が達成できるからである。
【図面の簡単な説明】
【００４７】
【図１】２パスで記録を行う場合の画像領域を示す図である。
【図２】本発明に係わるインクジェット記録装置の一実施形態であるインクジェットプリンタを示す斜視図である。
【図３】図２に示したインクジェット記録装置で用いられる記録ヘッドの模式図である。
【図４】本発明の実施形態１の記録ヘッドの吐出口列を示す図である。
【図５】図１で説明したインクジェットプリンタを印刷出力装置として用いるホストコンピュータを示すブロック図である。
【図６】２パスで記録を行う場合の画像領域を示す図である。
【図７】２パスで記録を行う場合の記録データ補正処理領域を示した図である。
【図８】本発明の実施形態１のホストコンピュータにおいて実施される画像処理を説明するブロック図である。
【図９】２パスで記録を行う場合のドットカウント領域を示した図である。
【図１０】２パスで記録を行う場合の記録データ補正処理領域を示した図である。
【図１１】つなぎスジ部の濃度を示した図である。
【図１２】印字デューティーとつなぎスジ濃度の関係を示した図である。
【図１３】印字デューティーとドットカウント値の関係を示した図である。
【図１４】ドットカウント値と記録データ補正ランクの関係を示した図である。
【図１５】補正ランクが５である場合の、記録データの追加・間引きをする記録データの補正領域を示した図である。
【図１６】本発明の実施形態２の記録ヘッドの吐出口列を示す図である。
【図１７】１パスで記録を行う場合の画像領域を示す図である。
【図１８】本発明の実施形態２のホストコンピュータにおいて実施される画像処理を説明するブロック図である。
【図１９】１パスで記録を行う場合のドットカウント領域を示した図である。
【図２０】本発明の実施形態３の記録ヘッドの吐出口列を示す図である。
【符号の説明】
【００４８】
７００    コントローラ
７０１    ＣＰＵ
７０２    ＲＯＭ
７０３    ＲＡＭ
７０４  ホスト装置
７０９  インターフェイス
１  記録ヘッド
【図１】
2008000922.tif 000003
【図２】
2008000922.tif 000004
【図３】
2008000922.tif 000005
【図４】
2008000922.tif 000006
【図５】
2008000922.tif 000007
【図６】
2008000922.tif 000008
【図７】
2008000922.tif 000009
【図８】
2008000922.tif 000010
【図９】
2008000922.tif 000011
【図１０】
2008000922.tif 000012
【図１１】
2008000922.tif 000013
【図１２】
2008000922.tif 000014
【図１３】
2008000922.tif 000015
【図１４】
2008000922.tif 000016
【図１５】
2008000922.tif 000017
【図１６】
2008000922.tif 000018
【図１７】
2008000922.tif 000019
【図１８】
2008000922.tif 000020
【図１９】
2008000922.tif 000021
【図２０】
2008000922.tif 000022